(57)【特許請求の範囲】
【請求項１】
コンクリート仮枠の内面に沿って挿入して生コンクリートの表面側の気泡を取るための気泡取り装置であり、バイブ組込部９は２枚の挟込材１３、挟込材１４で構成され、挟込材１３は、コンクリートバイブレーター２６の棒形振動体２５を挟み込む事が出来るように、中央が円弧状に形成されると共に、下部１８が斜めに閉塞状態に成形され、さらに、その円弧状の左右に挟込材１３を固定するため、左右に固定穴１５が３箇所づつ開けられたプレート状の固定板２１で構成され、挟込材１４も、コンクリートバイブレーター２６の棒形振動体２５を挟み込む事が出来るように、中央が円弧状に形成されると共に、下部１７が斜めに閉塞状態に成形され、さらに、その円弧状の左右に挟込材１４を固定するため、左右に固定穴２２が３箇所づつ開けられたプレート状の固定板２３で構成され、生コンクリート挿入板１２は薄板状の鋼板を上下を逆さにした台形形状に成形され、台形形状の底辺と挟込材１４の下部が溶接により固定され、コの字形の取っ手部２０は、鋼管の取っ手１の両端を、取っ手下部３が板状に潰れた鋼管の取っ手２と、取っ手下部５が板状に潰れた鋼管の取っ手４の上端部を溶接して固定し、取っ手１の中間下部にフック６を取付け、取っ手下部３と、取って下部５を生コンクリート挿入板１２の台形形状の底辺と溶接して固定し、挟込材１４の円弧状の部分に、コンクリートバイブレーター２６の棒形振動体２５を挿入し、挟込材１３の円弧状の部分を挟み込み、固定穴１５、固定穴２２にボルト１６を差し込みナット１９で固定する事により、コンクリートバイブレーター２６の棒形振動体２５をバイブ組込部９に組み込み固定した事を特徴とするＲＣコンクリート仮枠用バイブスコップ。
【発明の詳細な説明】
【技術分野】
【０００１】
本発明は、ＲＣコンクリートの建物の外壁仮枠に打設された生コンクリートの表面の気泡を取る際に使用する気泡取り装置に関するものである。
【背景技術】
【０００２】
生コンクリートには、通常、３〜６％の空気が含まれている為、コンクリート仮枠に生コンクリートを打設して、そのまま硬化させた場合には、コンクリートの表面に無数の気泡痕（空気あばた）が残る。その為、従来においては、生コンクリートの打設後に振動式の空気抜き取り装置を仮枠の外側に押し当て、生コンクリートの表面側の気泡を抜き取る方法（特許文献１参照）や、コンクリート仮枠の内面に沿って櫛歯（特許文献２参照）を挿入して生コンクリートの表面側の気泡を除去してきた。
【０００３】
また、基礎仮枠に生コンクリートを打設する際に基礎コンクリートの表面に発生する気泡に関しては、気泡除去装置（特許文献３参照）を基礎仮枠の内面に沿って挿入して気泡を除去してきた。
【先行技術文献】
【特許文献】
【０００４】
前記、振動式の空気抜き取り装置は、振動源と振動体を備え、振動体をコンクリート仮枠の外側に押し付けてコンクリート仮枠を振動させ、気泡を抜き取るように構成されている。
【特許文献１】特開２００２―２９５０１９
【０００５】
また、櫛歯の空気抜き取り装置は、櫛状の櫛歯をコンクリート仮枠の内面に沿って挿入して生コンクリートの表面の気泡を抜き取るためのものである。
【特許文献２】特開２００４―１９７４４３
【０００６】
さらに、基礎仮枠に使用する気泡除去装置は、モーターの回転によって振動部を振動させる把手付モーターに、アルミニウム製で長方形状の薄板に複数の小孔を設けた振動版を取付け、基礎仮枠の内面に沿って挿入して気泡を除去してきた。
【特許文献３】特開２００７―３２７２２６
【発明の開示】
【発明が解決しようとする課題】
【０００７】
しかしながら、前記、振動式の空気抜き取り装置においては、振動体をコンクリート仮枠の外側に押し付けて振動させる為、作業者の体力が非常に消耗すると共に、気泡の抜き取りにバラツキが生じ易いといった問題があった。
【０００８】
さらに、櫛歯の空気抜き取り装置においては、櫛歯をコンクリート仮枠の内面にそって挿入する際に、生コンクリートからの摩擦抵抗を直接受けるため、作業者の体力を消耗するといった問題があった。
【０００９】
さらに、基礎仮枠に生コンクリートを打設する際に気泡を除去するために使用される気泡除去装置においては、基礎仮枠の気泡除去専用に作られているため、ＲＣコンクリートの建物外壁の気泡を取除くためには、装置が重く嵩張り、さらに振動板の長さが短い為、基礎と比べて階上高さがある建物の外壁仮枠の内面に使用する事は困難であった。
【００１０】
本発明は、このような従来の問題点に鑑み、簡単な構造で簡便に使用する事が出来ると共に、本発明のＲＣコンクリート仮枠用バイブスコップを仮枠内の生コンクリートに挿入、抜取りする際にも作業者の体力疲労を最小限に抑える事を可能とし、生コンクリートの表面の気泡を容易に抜取る事が出来る気泡抜取り装置を提供する事を目的とする。
【課題を解決するための手段】
【００１１】    かかる課題を解決する為、請求項１に記載の発明は、コンクリート仮枠の内面に沿って挿入して生コンクリートの表面側の気泡を取るための気泡取り装置であり、バイブ組込部９は２枚の挟込材１３、挟込材１４で構成され、挟込材１３は、コンクリートバイブレーター２６の棒形振動体２５を挟み込む事が出来るように、中央が円弧状に形成されると共に、下部１８が斜めに閉塞状態に成形され、さらに、その円弧状の左右に挟込材１３を固定するため、左右に固定穴１５が３箇所づつ開けられたプレート状の固定板２１で構成され、挟込材１４も、コンクリートバイブレーター２６の棒形振動体２５を挟み込む事が出来るように、中央が円弧状に形成されると共に、下部１７が斜めに閉塞状態に成形され、さらに、その円弧状の左右に挟込材１４を固定するため、左右に固定穴２２が３箇所づつ開けられたプレート状の固定板２３で構成され、生コンクリート挿入板１２は薄板状の鋼板を上下を逆さにした台形形状に成形され、台形形状の底辺と挟込材１４の下部が溶接により固定され、コの字形の取っ手部２０は、鋼管の取っ手１の両端を、取っ手下部３が板状に潰れた鋼管の取っ手２と、取っ手下部５が板状に潰れた鋼管の取っ手４の上端部を溶接して固定し、取っ手１の中間下部にフック６を取付け、取っ手下部３と、取って下部５を生コンクリート挿入板１２の台形形状の底辺と溶接して固定し、挟込材１４の円弧状の部分に、コンクリートバイブレーター２６の棒形振動体２５を挿入し、挟込材１３の円弧状の部分を挟み込み、固定穴１５、固定穴２２にボルトｌ６を差し込みナット１９で固定する事により、コンクリートバイブレーター２６の棒形振動体２５をバイブ組込部９に組み込み固定した事を特徴とする。
【発明の効果】
【００１４】
請求項１に記載の発明によれば、従来から、一般に広く普及しているコンクリートバイブレーターの棒形振動体の振動を利用して、コンクリート仮枠の内面に沿って挿入して生コンクリートの表面側の気泡を取るための気泡取り装置であり、コンクリートバイブレーターの棒形振動体を挿入して固定するための受け部と、その受け部と一体となるように構成した平板状で台形形状をした生コンクリート挿入板と、その生コンクリート挿入板を、仮枠内の生コンクリートに挿入、抜き取りするためのコの字形の取手部で構成される為、コンクリートバイブレーターの棒形振動体の振動が生コンクリート挿入板に伝わり、軽量で安価な気泡取り装置を提供する事が可能となった。
【実施例】
【００１７】
以下、この発明の実施の形態について説明する。
［発明の実施の形態］
【００１８】
図１及至図３には、この発明の実施の形態を示す。
【００１９】
図１は、本発明のＲＣコンクリート仮枠用バイブスコップの部品展開図（図１ａ）と、コンクリートバイブレーターの棒形振動体を挿入して固定するための受け部の分解立体図（図１ｂ）である。バイブ組込部９は２枚の挟込材１３、挟込材１４で構成され、挟込材１３は、図２で説明するコンクリートバイブレーター２６の棒形振動体２５を挟み込む事が出来るように、中央が円弧状に形成されると共に、下部１８が斜めに閉塞状態に成形され、さらに、その円弧状の左右に挟込材１３を固定するため、左右に固定穴１５が３箇所づつ開けられたプレート状の固定板２１で構成される。
【００２０】
同様に、挟込材１４も、図２で説明するコンクリートバイブレーター２６の棒形振動体２５を挟み込む事が出来るように、中央が円弧状に形成されると共に、下部１７が斜めに閉塞状態に成形され、さらに、その円弧状の左右に挟込材１４を固定するため、左右に固定穴２２が３箇所づつ開けられたプレート状の固定板２３で構成される。
【００２１】
また、生コンクリート挿入板１２は薄板状の鋼板を上下を逆さにした台形形状に構成され、台形状の底辺（この場合は上部にあたる）と挟込材１４の下部が溶接により固定される。
【００２２】
さらに、コの字形の取っ手部２０は、鋼管の取っ手１の両端を、取っ手下部３が板状に潰れた鋼管の取っ手２と、取っ手下部５が板状に潰れた鋼管の取っ手４の上端部を溶接して固定し、さらに、取っ手１の中間下部にフック６を取付ける。
【００２３】
このように構成した取っ手部２０の、取っ手下部３と、取って下部５を生コンクリート挿入板１２の台形状の底辺（この場合は上部にあたる）と溶接して固定する。
【００２４】
さらに、取っ手部２０と、バイブ組込部９と生コンクリート挿入板１２を強固に固定する為に、三角形状をした平鋼の補強材８、補強材１０を挟込材１４の左右の固定板２３と、生コンクリート挿入板１２の台形状の底辺（この場合は上部にあたる）と溶接して固定する。また、概三角形の形状をした平鋼の補強材７を取っ手下部３と生コンクリート挿入板１２の台形状の底辺（この場合は上部にあたる）と溶接して固定する。同様に、概三角形の形状をした平鋼の補強材１１を取っ手下部５と生コンクリート挿入板１２の台形状の底辺（この場合は上部にあたる）と溶接して固定する。
【００２５】
このように構成したＲＣコンクリート仮枠用バイブスコップの挟込材１４の円弧状の部分に、図２で説明するコンクリートバイブレーター２６の棒形振動体２５を挿入し、挟込材１３の円弧状の部分を挟み込み、固定穴１５、固定穴２２にボルト１６を差し込みナット１９で固定する事により、コンクリートバイブレーター２６の棒形振動体２５はバイブ組込部９に組み込まれ固定される。このように、挟込材１３は棒形振動体２５を組込み、取外し可能に出来るようにする為、生コンクリート挿入板１２と溶接等で接合しない。
【００２６】
図２は、一般に市販されているコンクリートバイブレーター２６と、図１の部品展開図で説明した、本発明のＲＣコンクリート仮枠用バイブスコップを組立てた状態を正面図と側面図で示す。なお、コンクリートバイブレーター２６は、生コンクリートの中に挿入して使う、棒形振動機（内部振動機）の棒形振動体２５と、棒形振動体２５をＯＮ、ＯＦＦする為の電源スイッチ２９と電源コード３０、電源プラグ３１から構成されている。
【００２７】
図３は、図２で説明したコンクリートバイブレーター２６を、本発明のＲＣコンクリート仮枠用バイブスコップに組み込んだ状態を示す。現場では、コンクリートバイブレーター２６のホース２７が作業の妨げにならないようにフック６に絡ませて使用する。
【００２８】
操作方法は、壁仮枠に生コンクリートを打ち込みした後、このように構成されたＲＣコンクリート仮枠用バイブスコップのコンクリートバイブレーター２６の電源をＯＮさせ、取っ手２と、取って４を両手で掴み、生コンクリート挿入板１２を壁仮枠の内面にそって挿入、抜き取りする事により、壁仮枠に張り付いた表面側の気泡を取り除く事が容易に可能となる。
【００２９】
以上、実施の形態に基づいて、本発明に係るＲＣコンクリート仮枠用バイブスコップについて詳細に説明してきたが、本発明は、以上の実施の形態に限定されるものではなく、発明の趣旨を逸脱しない範囲において各種の改変をなしても、本発明の技術的範囲に属するのはもちろんである。
【００３０】
図１において、生コンクリート挿入板１２は、薄板状の鋼板を上下を逆さにした台形形状で構成されているが、生コンクリート挿入板１２は熊手のような形状や、先端が一直線ではなく波板形状に形成される事も可能である。
【００３１】
図１において、補強材７、８、１０、１１の形状は、バイブ組込部９と生コンクリート挿入板１２、取っ手部２０を補強する為の最小限度の補強をしたのであり、この形状に拘わらず他形状の補強材を用いる事も、もちろん可能である。
【図面の簡単な説明】
【００３２】
【図１】この発明の実施の形態に係る、ＲＣコンクリート仮枠用バイブスコップの部品展開図と、コンクリートバイブレーターの棒形振動体を挿入して固定するための受け部の分解立体図である。
【図２】同実施の形態に係る、コンクリートバイブレーターとＲＣコンクリート仮枠用バイブスコップの正面図と側面図である。
【図３】同実施の形態に係る、ＲＣコンクリート仮枠用バイブスコップにコンクリートバイブレーターを組み込んだ正面図である。
【符号の説明】
【００３３】
１                  取っ手
２                  取っ手
３                  取っ手下部
４                  取っ手
５                  取っ手下部
６                  フック
７                  補強材
８                  補強材
９                  バイブ組込部
１０                補強材
１１                補強材
１２                生コンクリート挿入板
１３                挟込材
１４                挟込材
１５                固定穴
１６                ボルト
１７                下部
１８                下部
１９                ナット
２０                取っ手部
２１                固定板
２５                棒形振動体
２６                コンクリートバイブレーター
２７                ホース
２８                スイッチケース
２９                電源スイッチ
３０                電源コード
３１                電源プラグ
【図１】
0005435341.tif 000002
【図２】
0005435341.tif 000003
【図３】
0005435341.tif 000004